(57)【要約】      （修正有）【課題】駐車中の自動車のボンネットなどの車体に猫がよじ登って傷をつけたり、汚したりすること、また庭や畑に侵入する犬猫に対して忌避剤を有効に活用するための忌避剤配置容器である。【解決手段】本考案は、底を有する外壁1と底を有しない内壁6の二重の壁を持ち、内部の網12に犬猫忌避剤を乗せ、上にふた2を被せる容器であって、二重の壁はそれぞれ薬剤拡散窓を有し、内壁をスライドさせることによってその窓を密封から全開まで自在に開閉でき、忌避剤の蒸発を自在に調節できる機能を持つ、さらに内部の底部に磁石9を設けて、自動車の車体との脱着が容易にできる忌避剤配置容器である。【選択図】図１
0003102566.tif 000002
【実用新案登録請求の範囲】
【請求項１】
底を有する外壁と底を有しない内壁の二重の壁を持ち、内部の網に犬猫忌避剤を乗せ、上にふたを被せる容器であって、二重の壁にはそれぞれ薬剤拡散窓を有し、内壁をスライドさせることによってその窓を密封から全開まで自在に開閉でき、忌避剤の蒸発を調節できる忌避剤配置容器。
【請求項２】
請求項１記載の忌避剤配置容器において、内部の底部に磁石を設け、自動車の車体との脱着が容易である忌避剤配置容器。
【考案の詳細な説明】
【技術分野】
【０００１】
本考案は、自動車のボンネットなどの車体に猫がよじ登って車体を傷つけたり、汚したりすること、また、庭や畑に犬、猫が侵入することを予防するための忌避剤配置容器の考案であり、日常生活の不便を解消する生活必要品である。
【背景技術】
【０００２】
従来から犬猫忌避剤は市販され、また、個人で工夫して調製することもできるが、自動車の車体に直接置くと塗装面を傷めるため、これを有効に活用する方法はなかった。また、庭や畑に侵入する犬猫には、直接使用されてきたが、忌避剤拡散窓の自在の開閉機能がないためその効力は長続きしない難点があった。
【０００３】
【特許文献１】特開平１１−２５７７４４、犬の忌避具当特許は庭に侵入する犬の被害を予防するための忌避剤を収納する容器に係るものであるが、本考案のような自動車のボンネットなどの車体に猫がよじ登って車体を傷つけたり、汚したりすることに対しては利用できないのみならず、本考案の特色である忌避剤拡散窓の自在の開閉や、磁石を利用して自動車の車体に脱着させるような機能は存在しない。
【考案の開示】
【考案が解決しようとする課題】
【０００４】
駐車中の自動車のボンネットなどの車体に猫がよじ登り、車体を傷つけたり、汚したりすること、また、犬猫が庭や畑に侵入して汚すという日常生活上の不便さがある。犬猫忌避剤は、数社の製薬会社から市販され、また、個人でクレゾール石鹸液などをスポンジに付着させて調製することも可能であるが、最も利用しやすい顆粒状のものでも、犬猫忌避剤を自動車の車体に乗せる手段がないため何の対策も立てられなかった。
本考案は、忌避剤を容器に入れて利用するため、自動車の車体の塗装に傷をつけず、さらに忌避剤蒸発窓を自在に開閉できる機能と磁石を用いて自動車の車体への脱着が容易にできる機能を持つ容器であり、犬猫被害の解消に役立つものである。犬猫が庭や畑に侵入して汚すという被害に対しても、忌避剤の無駄な蒸発を防止する機能と風雨に強い機能が効力を発揮する。
【課題を解決するための手段】
【０００５】
本考案は、底を有する外壁と底を有しない内壁の二重の壁を持ち、内部の網に犬猫忌避剤を乗せ、上にふたを被せる容器であって、二重の壁にはそれぞれ薬剤拡散窓を有し、内壁をスライドさせることによってその窓を密封から全開まで自在に開閉でき、忌避剤の蒸発を自在に調節できる機能を持つ、さらに内部の底部に磁石を設けて、自動車の車体との脱着が容易にできる忌避剤配置容器である。この容器によって課題を解決できる。
【考案の効果】
【０００６】
本考案は、上述したように、駐車中の自動車のボンネットなどの車体に、猫がよじ登り傷をつけたり汚したりすること、また、犬猫が庭や畑に侵入して汚すという日常生活上の不便を予防する忌避剤配置容器である。この忌避剤配置容器の使用は、忌避剤が直接自動車の車体に触れないため車体の塗装に傷をつけないこと、薬剤拡散窓が自在に開閉できるため無駄な忌避剤の蒸発を防止できること、自動車の車体との脱着は磁石を利用するため装着力は強く、また、取り外しも容易あること、ドーム型のふたはが本体よりも外に突き出しているため風雨に強いこと、などの特色を有し、課題解決に効果を発揮する。
また、庭や畑に侵入する犬猫を排除することに対して使用する忌避剤についても、風雨に強く、忌避剤の無駄な蒸発を防止する効果がある。
【考案を実施するための最良の形態】
【０００７】
本考案の実施の一形態は図３全体斜視図のとおりである。本考案は軽くて風雨に強いことが必要となるため、その材質は合成樹脂を素材とする耐久性プラスチックなどが適している。形状を限定することはできないが、一度の操作で内壁と外壁がスムーズにスライドして薬剤拡散窓を開閉するためには、通常には円形が適当である。
【実施例】
【０００８】
以下、添付図面に従って一実施例を説明する。内部の構造については図１縦断面図で、構成部品の説明については図２部品別斜視図で、全体の形状については図３全体斜視図で、利用方法の一例については図４利用図で説明する。
外壁（１）には、薬剤拡散窓（図２、１５）が、同じ大きさで、かつ、同じ間隔で開けられている。内壁（６）にも、薬剤拡散窓（図２、１６）が、外壁と同じ大きさで、かつ、同じ間隔で開けられている。外壁と内壁は組み合わされ、内壁に固定された開閉レバー
（１０）が外壁に開けられた開閉レバーポケット（１１）を貫通して外に出ている。この
開閉レバーを動かすことによって内壁がスライドして外壁の薬剤拡散窓の開閉が自在にできる。
【０００９】
内壁（６）は、外壁（１）の下部に設けられた内壁受け溝（図１，５）と上部に設けられた内壁押さえフック（７）で保持される。
【００１０】
外壁（１）の底部には、自動車の車体と密着させるための磁石（９）が外壁の磁石装着溝
（８）に固定されており、車体との脱着が容易にできる。
【００１１】
外壁（１）の底部の磁石上部には、忌避剤を効果的に拡散させるために網（１２）が設置されており、網足（１３）によって底面から僅かに遊離している。
【００１２】
この忌避剤配置容器の上部は、ふた（２）で覆われているが、ふたネジ（４）と外壁ネジ（３）で組み込まれる。
【００１３】
ふた（２）には、釣手（１４）が設けられており、上から吊り下げて使うことが可能な場合にはこの釣手を利用する方が便利である。
【００１４】
この忌避剤配置容器を自動車の車体に使用する場合は、図４，１のとおりである。また、庭や畑に使用する場合は地面に直接置くか、または、上から吊り下げて用いる。
【図面の簡単な説明】
【００１５】
【図１】本考案の実施例となる忌避剤配置容器の縦断面図である。
【図２】本考案の実施例となる忌避剤配置容器の部品別斜視図である。
【図３】本考案の実施例となる忌避剤配置容器の全体斜視図である。
【図４】本考案の実施例となる忌避剤配置容器の利用方法の一例を示した利用図である。
【符号の説明】
【００１６】
１    外壁
２    ふた
３    外壁ネジ
４    ふたネジ
５    内壁受け溝
６    内壁
７    内壁押さえフック
８    磁石装着溝
９    磁石
１０    開閉レバー
１１    開閉レバーポケット
１２    網
１３    網脚
１４    釣手
１５    外壁薬剤拡散窓
１６    内壁薬剤拡散窓
【図１】
0003102566.tif 000003
【図２】
0003102566.tif 000004
【図３】
0003102566.tif 000005
【図４】
0003102566.tif 000006